(57)【要約】【課題】  携帯用灰皿を煙草の灰や吸い殻を収納した状態で持ち歩かなくても済むようにする。【解決手段】  開口部１８を有する複数の小型の袋体１０が一方向に沿って連結された携帯用灰皿１を製造する。このとき、隣り合う２つの袋体１０の間にはミシン目２０を形成する。従って、携帯用灰皿１の連結された複数の袋体１０から袋体１０を１つずつ切り離し可能となる。その結果、喫煙者は、１本の煙草の灰および吸い殻を１つの袋体１０内に入れた後で、その袋体１０だけを捨てることができる。【選択図】図１
0003102062.tif 000002
【実用新案登録請求の範囲】
【請求項１】
その内部に形成される内部空間を外部空間と連通させる開口部をそれぞれ有し且つ互いに連結されている複数の袋体を備えていることを特徴とする携帯用灰皿。
【請求項２】
前記複数の袋体は一方向に連結されていることを特徴とする請求項１に記載の携帯用灰皿。
【請求項３】
隣り合う２つの袋体の間にはミシン目が形成されていることを特徴とする請求項１または２に記載の携帯用灰皿。
【請求項４】
前記複数の袋体はいずれも矩形状を有しており、
前記開口部が前記複数の袋体のそれぞれの一端部に設けられていることを特徴とする請求項１〜３のいずれか１項に記載の携帯用灰皿。
【請求項５】
前記開口部が前記複数の袋体の短辺側の一端部に設けられていることを特徴とする請求項４に記載の携帯用灰皿。
【請求項６】
前記複数の袋体は、前記開口部が設けられた端部とは異なる端部において互いに連結されていることを特徴とする請求項４または５に記載の携帯用灰皿。
【請求項７】
前記袋体の短辺の長さは、２０ｍｍ〜３０ｍｍであることを特徴とする請求項４〜６のいずれか１項に記載の携帯用灰皿。
【請求項８】
前記袋体の長辺の長さは、１００ｍｍ〜１１０ｍｍであることを特徴とする請求項４〜７のいずれか１項に記載の携帯用灰皿。
【請求項９】
前記開口部が実質的に円形状に開口可能であることを特徴とする請求項４〜８に記載の携帯用灰皿。
【請求項１０】
前記複数の袋体は、隣り合う２つの袋体の間において前記２つの袋体の側面同士が接触するように折り曲げ可能に構成されていることを特徴とする請求項１〜９のいずれか１項に記載の携帯用灰皿。
【請求項１１】
請求項１０に記載の携帯用灰皿と、
折り畳まれた前記携帯用灰皿を収納可能である筐体とを備えていることを特徴とする携帯用灰皿ユニット。
【考案の詳細な説明】
【技術分野】
【０００１】
本考案は、持ち運びに便利な携帯用灰皿およびこれを備えた携帯用灰皿ユニットに関するものである。
【背景技術】
【０００２】
喫煙者によって持ち運んで利用される携帯用灰皿としては、５〜１０本程度の煙草の灰や吸い殻を収納可能なものがある（例えば、特許文献１参照）。かかる携帯用灰皿では、喫煙者が外出中に灰皿のない場所で煙草を吸う場合に、その煙草の灰や吸い殻を収納することができる。そして、喫煙者は、携帯用灰皿の内部が煙草の灰や吸い殻で一杯になったときや外出先から帰宅したときに、携帯用灰皿内に収納された煙草の灰や吸い殻を廃棄する。このようにして、その内部の煙草の灰や吸い殻が捨てられた携帯用灰皿は、再び多くの煙草の灰や吸い殻を収納可能になるので、喫煙者によって繰り返し利用されることが多い。
【特許文献１】実公平７−４１３５９号公報(図１）
【考案の開示】
【考案が解決しようとする課題】
【０００３】
しかしながら、煙草の灰や吸い殻が収納された携帯用灰皿を衣服のポケットやかばん等に入れて持ち歩く場合には、携帯用灰皿の開口部が開いて、煙草の灰や吸い殻がポケットやかばん内に散乱する可能性がある。
【０００４】
そこで、本考案の主な目的は、煙草の灰や吸い殻を収納した状態で持ち歩かなくても済む携帯用灰皿を提供することである。
【課題を解決するための手段および考案の効果】
【０００５】
本考案の携帯用灰皿は、その内部に形成される内部空間を外部空間と連通させる開口部をそれぞれ有し且つ互いに連結されている複数の袋体を備えているものである。
【０００６】
この構成によると、複数の袋体の一部を必要に応じて切り離して利用することができる。従って、喫煙者は、１または少数の煙草の灰や吸い殻を１つの袋体内に入れた後、その袋体だけを捨てることができる。その結果、煙草の灰や吸い殻を収納した状態で携帯用灰皿を持ち運ぶ必要性が低くなるので、煙草の灰や吸い殻が携帯用灰皿の外部に散乱することによって、衣服のポケットやかばん等が汚れるのを抑制することができる。
【０００７】
本考案の携帯用灰皿において、前記複数の袋体は一方向に連結されていてもよい。
【０００８】
この構成によると、連結された複数の袋体の最も端のものから順次切り離し易いので利便性が向上する。また、特に、筐体内に収納された複数の袋体を１つずつ引き出しながら切り離す場合に有効である。
【０００９】
本考案の携帯用灰皿において、隣り合う２つの袋体の間にはミシン目が形成されていてもよい。
【００１０】
この構成によると、連結された複数の袋体を切り離す場合に、はさみ等の道具を用いることなく容易に切り離すことができる。
【００１１】
本考案の携帯用灰皿において、前記複数の袋体はいずれも矩形状を有しており、前記開口部が前記複数の袋体のそれぞれの一端部に設けられていてもよい。
【００１２】
この構成によると、複数の袋体を矩形状に形成することによって、連結された複数の袋体の製造が容易になる。
【００１３】
本考案の携帯用灰皿において、前記開口部が前記複数の袋体の短辺側の一端部に設けられていてもよい。
【００１４】
この構成によると、袋体の内部空間の奥行きが開口部に比べて長くなるので、袋体の内部に入れられた煙草の灰や吸い殻を確実に収納することができる。また、袋体の内部へ煙草の灰や吸い殻を入れた後で袋体を密封するために袋体の開口部近傍を折り曲げる際の折り曲げ作業が容易になる。
【００１５】
本考案の携帯用灰皿において、前記複数の袋体は、前記開口部が設けられた端部とは異なる端部において互いに連結されていてもよい。
【００１６】
この構成によると、複数の袋体が連結された状態においても煙草の灰や吸い殻を袋体の内部に入れることができる。
【００１７】
本考案の携帯用灰皿において、前記袋体の短辺の長さは、２０ｍｍ〜３０ｍｍであってもよい。
【００１８】
本考案の携帯用灰皿において、前記袋体の長辺の長さは、１００ｍｍ〜１１０ｍｍであってもよい。
【００１９】
これらの構成によると、１本の煙草の灰および吸い殻を収納するのに適した大きさの袋体を形成することができる。従って、喫煙者は、１本の煙草の灰および吸い殻を袋体内に入れる度に、その袋体だけを捨てることができる。その結果、煙草の灰や吸い殻を収納した状態で携帯用灰皿を持ち運ぶ必要性が極めて低くなるので、煙草の灰や吸い殻が携帯用灰皿の外部に散乱することによって、衣服のポケットやかばん等が汚れるのをより効果的に抑制することができる。
【００２０】
本考案の携帯用灰皿において、前記開口部が実質的に円形状に開口可能であってもよい。
【００２１】
この構成によると、煙草の灰や吸い殻を袋体の内部へ入れ易くなる。
【００２２】
本考案の携帯用灰皿において、前記複数の袋体は、隣り合う２つの袋体の間において前記２つの袋体の側面同士が接触するように折り曲げ可能に構成されていてもよい。
【００２３】
この構成によると、複数の袋体を折り畳むことによって、携帯用灰皿が持ち運び易くなる。
【００２４】
本考案の携帯用灰皿ユニットは、前記複数の袋体が隣り合う２つの袋体の間において前記２つの袋体の側面同士が接触するように折り曲げ可能な構成の携帯用灰皿と、折り畳まれた前記携帯用灰皿を収納可能である筐体とを備えているものである。
【００２５】
この構成によると、折り畳んだ複数の袋体を筐体内に収納することによって、複数の袋体が折り畳まれる前の状態に広がるのを防止することができる。従って、携帯用灰皿の持ち運びに便利である。
【考案を実施するための最良の形態】
【００２６】
以下、本考案の好適な実施の形態について、図面を参照しつつ説明する。図１は、本考案の形態に係る携帯用灰皿の概略構成を示す平面図である。なお、図１では、携帯用灰皿の一部分だけが図示されている。
【００２７】
図１に示す携帯用灰皿１は、一方向に沿って連結された複数の袋体１０を備えている。携帯用灰皿１は、略矩形の２枚のシート状部材１１、１２（図３参照）が重ね合わされて部分的に溶着されることによって形成される。つまり、２枚のシート状部材１１、１２が重ね合わされて、その長手方向両端部１３、１４（図１では左端部および右端部）がそれぞれ溶着されて幅Ｙの溶着部分１３ａ、１４ａが形成されると共に、その短手方向一端部１６（図１では下端部）が溶着されることによって幅Ｚの溶着部分１６ａが形成される。また、左端部１３の溶着部分１３ａから右端部１４の溶着部分１４ａに向かって、互いに幅Ｘの間隔だけ離隔するように、幅Ｙの溶着部分１５ａが形成される。このとき、２枚のシート状部材１１、１２において、溶着部分１３ａ、１４ａ、１５ａ、１６ａに対応しない部分（袋体１０の内部空間に対応する部分）は接触しているだけである。なお、本実施の形態では、幅Ｘは２０ｍｍ、幅Ｙは５ｍｍ、幅Ｚは５ｍｍである。
【００２８】
従って、携帯用灰皿１は、溶着部分１３ａ、溶着部分１５ａおよび溶着部分１６ａで囲まれた袋体１０と、２つの溶着部分１５ａおよび溶着部分１６ａで囲まれた袋体１０と、溶着部分１４ａ、溶着部分１５ａおよび溶着部分１６ａで囲まれた袋体１０とを備えていることになる。ここで、２枚のシート状部材１１、１２の一端部１６に対向する他端部１５（図１では上端部）には、溶着部分１５ａによって仕切られており、溶着されずに開口可能な各袋体１０の開口部１８が並ぶことになる。なお、携帯用灰皿１に含まれる袋体１０は、いずれもほぼ同じ構成であるので、それを囲む溶着部分が異なる場合でも同じ符号を付している。
【００２９】
ここで、各袋体１０を１本の煙草の灰および吸い殻を収納するのに適した大きさに形成するためには、１つの袋体１０の長辺の長さＡは１００〜１１０ｍｍであることが好ましく、短辺の長さＢは２０〜３０ｍｍであることが好ましい。なお、本実施の形態では、１つの袋体１０の長辺の長さＡは１０５ｍｍである。また、複数の袋体１０の両端部以外の袋体１０の短辺の長さＢは２５ｍｍであって、複数の袋体１０の両端部の袋体１０の短辺の長さＢは２７．５ｍｍである。
【００３０】
そして、携帯用灰皿１において、隣り合う２つの袋体１０の間に配置された溶着部分１５ａの幅方向中心位置近傍には、ミシン目２０がそれぞれ形成されている。ミシン目２０は、袋体１０の長手方向に平行であって、シート状部材１１、１２の短手方向について全幅にわたって形成されている。従って、携帯用灰皿１では、複数の袋体１０を溶着部分１５ａ内のミシン目２０に沿って１個ずつ切り離すことができる。なお、図３には切り離された１個の袋体１０が図示されている。
【００３１】
ここで、切り離される前の連結された複数の袋体１０は、隣り合う２つの袋体１０の間のミシン目２０において２つの袋体１０の側面同士が接触するように折り曲げ可能に構成されている。従って、複数の袋体１０は、図２に示すように、折り畳むことができる。このように折り畳まれた複数の袋体１０は、収納ボックス３０内に収納された状態の携帯用灰皿ユニット３５として持ち運ばれるのが好ましい。この場合には、携帯用灰皿１に含まれる袋体１０が利用されるときに、収納ボックス３０の蓋部３１が開かれて、袋体１０が１つずつ引き出されて切り離される。
【００３２】
ここで、本実施の形態では、携帯用灰皿１は２０個の袋体１０を備えている。これは、一般的に、煙草は１箱に２０本が収容された状態で販売されているためである。つまり、携帯用灰皿１が１箱あたりの煙草の本数と同じ数の袋体１０を備えている場合には、１本の煙草の灰および吸い殻を１個の袋体１０に入れる度にその袋体１０を捨てたとしても、１箱の煙草のすべてについて携帯用灰皿１以外の灰皿を利用しなくても済むようになる。
【００３３】
また、シート状部材１１、１２は、袋体１０内に煙草の灰や吸い殻を入れた状態においても袋体１０の外表面の温度はさほど高温にはならず、袋体１０の外表面を手で触れた場合でもあまり熱く感じないような材質および厚さの部材である。ここで、本実施の形態の携帯用灰皿１のシート状部材１１、１２は、耐熱処理が施されたアルミ箔で形成されており、０．１〜０．３ｍｍの厚さを有している。なお、シート状部材１１、１２は、煙草の灰や吸い殻が入れられた袋体１０の外表面を手で触れてもあまり熱くないと共に、複数の袋体１０のそれぞれの体積が極力小さくなるような厚さを有していることが好ましい。
【００３４】
次に、携帯用灰皿１の袋体１０を利用する際の手順について、図２〜図７を参照して説明する。なお、図３〜図７では、２つの溶着部分１５ａおよび溶着部分１６ａで囲まれた袋体１０について説明するが、その他の溶着部分で囲まれた袋体１０についても同様である。
【００３５】
携帯用灰皿１の１つの袋体１０が灰皿として喫煙者によって利用される場合は、まず最初に、図２に示すように、収納ボックス３０の蓋部３１が開けられて、そのなかに収納されている複数の袋体１０のなかの最上部の袋体１０が引き出される。そして、最上部の袋体１０と最上部から２番目の袋体１０との間のミシン目２０において、最上部の袋体１０が１つだけ切り離される。
【００３６】
すると、１つの袋体１０は図３に示すような状態となって、その開口部１８が上方にくるように配置される。そして、袋体１０の開口部１８の両端部がそれぞれ内側に向かって（図３の矢印の方向に）、喫煙者によって押圧される。すると、図４に示すように、袋体１０の開口部１８となるシート状部材１１、１２の端部近傍が互いに反対方向に湾曲して、開口部１８が略円形状に開口される。このとき、袋体１０の内部には、開口部１８と、２つの溶着部分１５ａと、溶着部分１６ａとで囲まれる内部空間が形成される。
【００３７】
このように開口部１８が開口された状態の袋体１０の内部空間には、図５に示すように、喫煙者によって袋体１０の開口部１８から煙草の灰４０が入れられる。さらに、喫煙者が煙草を吸い終わると、図６に示すように、袋体１０の開口部１８から煙草の吸い殻４５が入れられる。その後、袋体１０の開口部１８がシート状部材１１、１２の端部近傍を接触させることによって閉塞されて、開口部１８近傍が溶着部分１６ａに向かって数回（図７では２回）折り曲げられる。すると、袋体１０の内部空間が密閉されるので、袋体１０内に入れられた煙草の灰４０や吸い殻４５が開口部１８から外部に散乱するのが防止される。
【００３８】
なお、煙草の吸い殻４５が袋体１０内に入れられる場合には、吸い殻４５の端部の火が消えた後で袋体１０内に入れられるのが好ましい。また、吸い殻４５が袋体１０内に入れられる時点で吸い殻４５の端部の火が消えていない場合でも、上述したように、袋体１０の開口部１８近傍が折り曲げられることによって袋体１０の内部空間は密閉されるので、袋体１０内の酸素がなくなった時点で吸い殻４５の端部の火は消える。ここで、本実施の形態の携帯用灰皿１の袋体１０は、１本の煙草の灰および吸い殻を収納するのに適した大きさを有しているので、袋体１０内に形成される内部空間は比較的小さく、その内部空間に入り得る酸素量も少量である。従って、袋体１０の内部空間が密閉された後、吸い殻４５の端部の火は比較的早く消える。
【００３９】
以上説明したように、本実施の形態の携帯用灰皿１では、複数の小型の袋体１０が互いに連結されているので、複数の袋体１０を１つずつ必要に応じて切り離して利用することができる。従って、喫煙者は、１本の煙草の灰および吸い殻を１つの袋体１０内に入れた後、その袋体１０だけを捨てることができる。その結果、煙草の灰や吸い殻を収納した状態で携帯用灰皿１を持ち運ぶ必要性が極めて低くなるので、煙草の灰や吸い殻が携帯用灰皿１の外部に散乱することによって、衣服のポケットやかばん等が汚れるのをより効果的に抑制することができる。
【００４０】
また、複数の袋体１０は一方向に連結されているので、連結された複数の袋体１０の最も端のものから順次切り離し易いので利便性が向上する。ここで、本実施の形態のように、収納ボックス３０内に収納された複数の袋体１０を１つずつ引き出しながら切り離す場合に特に有効である。
【００４１】
また、隣り合う２つの袋体１０の間の溶着部分１５ａにはミシン目２０が形成されているので、連結された複数の袋体１０を切り離す場合に、はさみ等の道具を用いることなく容易に切り離すことができる。
【００４２】
また、複数の袋体１０はいずれも矩形状を有しており、開口部１８が複数の袋体１０のそれぞれの一端部に設けられているので、２枚のシート状部材１１、１２を重ね合わせて部分的に溶着することによって連結された複数の袋体１０を容易に製造することができる。
【００４３】
また、開口部１８が袋体１０の短辺側の一端部に設けられているので、袋体１０の内部空間の奥行きが開口部１８に比べて長くなる。そのため、袋体１０の内部に入れられた煙草の灰や吸い殻を確実に収納することができる。また、袋体１０の内部へ煙草の灰や吸い殻を入れた後で袋体１０を密封するために袋体１０の開口部１８近傍を折り曲げる際の折り曲げ作業が容易になる。
【００４４】
また、袋体１０の開口部１８は、その両端部がそれぞれ内側に向かって押圧されることによって、略円形状に開口可能であるので、煙草の灰や吸い殻を袋体１０の内部へ入れ易くなる。
【００４５】
また、複数の袋体１０は、隣り合う２つの袋体１０の間のミシン目２０において２つの袋体２０の側面同士が接触するように折り曲げ可能であるので、複数の袋体１０を小さく折り畳むことができる。その結果、携帯用灰皿１の体積が小さくなって、携帯用灰皿１が持ち運び易くなる。さらに、折り畳まれた携帯用灰皿１を収納ボックス３０内に収納して携帯用灰皿ユニット３５として持ち運ぶことによって、複数の袋体１０が折り畳まれる前の状態に広がるのを防止することができる。従って、携帯用灰皿１の持ち運びに便利である。
【００４６】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、複数の袋体１０が一方向に沿って連結されているが、複数の袋体１０は必ずしも一方向に連結されている必要はなく、例えば格子状に連結されていてもよい。
【００４７】
また、上述の実施の形態では、隣り合う２つの袋体１０の間の溶着部分１５ａにはミシン目２０が形成されているが、ミシン目２０は形成されていなくてもよい。従って、隣り合う２つの袋体１０の間にミシン目２０が形成されていない場合は、袋体１０は、溶着部分１５ａ内を、はさみ等で切り離したり、両手で切り裂く必要がある。
【００４８】
また、上述の実施の形態では、複数の袋体１０はいずれも矩形状を有しており、開口部１８が複数の袋体１０のそれぞれの一端部に設けられているが、袋体１０の形状は任意に変更することができる。また、袋体１０が矩形状である場合でも、開口部が袋体１０の長辺側の一端部に設けられていてもよいし、開口部は必ずしも一端部に設けられなくもよい。
【００４９】
また、上述の実施の形態では、携帯用灰皿１は比較的小型の２０個の袋体１０を備えているが、携帯用灰皿１に含まれる袋体１０の大きさおよび数は任意に変更することができ、袋体１０は、必ずしも１本の煙草の灰および吸い殻を収納するのに適した大きさである必要はない。従って、袋体１０が複数本の煙草の灰や吸い殻を収納可能な大きさを有しており、複数本の煙草の灰や吸い殻が入れられた時点で捨てられてもよい。
【００５０】
また、上述の実施の形態では、袋体１０の開口部１８は略円形状に開口可能であるが、袋体１０内に煙草の灰や吸い殻を入れることができれば、開口部１８は略円形状に開口しなくてもよい。
【００５１】
また、上述の実施の形態では、複数の袋体１０は、隣り合う２つの袋体１０の間のミシン目２０において２つの袋体２０の側面同士が接触するように折り曲げ可能であるが、連結された複数の袋体１０が任意の位置において折り曲げ可能であって巻回可能なものであってもよい。なお、連結された複数の袋体１０は必ずしも折り曲げ可能なものでなくてもよい。
【００５２】
また、上述の実施の形態では、複数の袋体１０から切り離された１つの袋体１０内に煙草の灰や吸い殻が入れられるが、複数の袋体１０が連結された状態の袋体１０内に煙草の灰や吸い殻が入れられて、その後にその袋体１０が切り離されてもよい。
【００５３】
また、上述の実施の形態では、袋体１０を形成するシート状部材１１、１２が耐熱処理が施された所定範囲の厚さのアルミ箔で形成されているが、シート状部材１１、１２の材質および厚さは、袋体１０内に煙草の灰や吸い殻を入れた状態においても袋体１０の外表面の温度はさほど高温にはならず、袋体１０の外表面を手で触れた場合でもあまり熱く感じない条件を満たす範囲で変更することができる。従って、シート状部材１１、１２は、必ずしもアルミ箔で形成されている必要はなく、耐熱性を有する素材（耐熱素材）で形成されていてもよい。
【図面の簡単な説明】
【００５４】
【図１】本考案の実施の形態に係る携帯用灰皿の概略構成を示す平面図である。
【図２】図１の携帯用灰皿が折り畳まれた状態で収納ボックスに収納された状態を示す図である。
【図３】図１に示す携帯用灰皿に含まれる１つの袋体の概略斜視図である。
【図４】図３の袋体の利用手順を説明するための袋体の概略斜視図である。
【図５】図３の袋体の利用手順を説明するための袋体の概略斜視図である。
【図６】図３の袋体の利用手順を説明するための袋体の概略斜視図である。
【図７】図３の袋体の利用手順を説明するための袋体の概略斜視図である。
【符号の説明】
【００５５】
１  携帯用灰皿
１０  袋体
１８  開口部
２０  ミシン目
３０  収納ボックス（筐体）
３５  携帯用灰皿ユニット
【図１】
0003102062.tif 000003
【図２】
0003102062.tif 000004
【図３】
0003102062.tif 000005
【図４】
0003102062.tif 000006
【図５】
0003102062.tif 000007
【図６】
0003102062.tif 000008
【図７】
0003102062.tif 000009